【事件の表示】
　平成１０年特許願第１２０３３４号「印刷装置」拒絶査定に対する審判事件［平成１１年　２月２３日出願公開、特開平１１−　４８５６７］について、次のとおり審決する。
【結　論】
　本件審判の請求は、成り立たない。
【理　由】
１．手続の経緯・本願発明
　本願は、平成６１年１０月１７日に出願した特願昭６１−２４５２９３号の一部を平成１０年４月３０日に新たな特許出願としたものであって、その請求項１に係る発明（以下、「本願発明」という。）は、平成１１年７月２９日付手続補正書により補正された明細書及び図面の記載からみて、特許請求の範囲の請求項１に記載された次のとおりのものと認められる。
「プラテンと、前記プラテンの軸方向に平行移動するキャリッジと、前記キャリッジに載置された印刷ヘッドと、これらを制御する印刷制御装置と、からなる印刷装置であって、
　前記印刷制御装置から出力される前記キャリッジの駆動信号により特定される前記キャリッジの位置を記憶するキャリッジ位置記憶手段と、
　前記キャリッジがホームポジションにあることを検出するホームポジション検出手段と、
　印刷指令を受け付けると、当該印刷指令に基づいた印刷開始に先立って、前記キャリッジを前記ホームポジション側に移動させるための駆動信号を発生する発生手段と、
　前記発生手段により前記ホームポジション側に移動した前記キャリッジが前記ホームポジション検出手段により検出されたときに、前記キャリッジ位置記憶手段に記憶されたキャリッジ位置と前記ホームポジションの位置を比較して、当該キャリッジ位置が正しいか否かを判定するキャリッジ位置判定手段と、を有すること
　を特徴とする印刷装置。」
２．引用例
　これに対して、原査定の拒絶の理由に引用された特開昭５７−２０７０８０号公報（以下「引用例」という。）には、
　イ．「シリアルプリンタにおいて、印字ヘッドを搭載したキャリッジと、このキャリッジを駆動するためのパルスモータと、このパルスモータを駆動制御する駆動制御手段と、キャリッジが基準位置にあることを検出するセンサと、上記駆動制御手段が上記キャリッジを上記基準位置から停止位置まで駆動させるために上記パルスモータに送ったパルス数を記憶するキャリッジ位置記憶部と、ホスト装置からの印字データ伝送の休止から所定時間後にまだデータ伝送休止状態が続いていた場合に、上記キャリッジを停止位置から上記基準位置まで戻し、この戻すのに要したパルス数と上記キャリッジ位置記憶部に記憶されているパルス数とを比較してキャリッジエラーを判断する手段とを具備したことを特徴とするキャリッジエラー検出装置。」（特許請求の範囲）、
　ロ．「従来、シリアルプリンタ装置において、印字ヘッドが搭載されているキャリッジをパルスモータを使用して往復運動させているものが多い。これらのパルスモータの制御は一般的に、ホストコンピュータ側からの単一方向的なオープンループ制御によって行なっている。しかしながら、このオープンループ制御では、例えば何らかの原因でキャリッジ位置がズレた場合に、プリンタ装置内の制御部ではそのエラー状態を検出できず、誤印字がなされてしまうという欠点があった。この発明は上記のような事情に鑑みてなされたもので、オープンループ制御によりキャリッジを駆動するシリアルプリンタ装置において、キャリッジエラー検出を的確に行なうことができる」（第１頁右下欄第４〜１９行）、
　ハ．「ホストコンピュータ１１からのデータの伝送が行なわれ、キャリッジが正常に駆動されている間は、マイクロプロセッサ１４は、キャリッジを基準位置から現在位置まで駆動するためにキャリッジモータ制御部１８に送ったパルス数を逐次キャリッジ位置記憶部１６に記憶させている。一方、ホストコンピュータ１１からのデータの伝送が休止してキャリッジの駆動が停止すると、第２図のタイミングチャートに示すように、マイクロプロセッサ１４は、受信ステータス信号ａをロウレベルにする。この受信ステータス信号ａがロウレベルになったことにより、プログラマブルカウンタ部１７内のプログラマブルカウンタはカウント動作を開始し、このプログラマブルカウンタの出力信号ｂをロウレベルにする。この出力信号ｂはプログラマブルカウンタがカウント動作中ロウレベルとなっている。そして、このプログラマブルカウンタは、予め設定されたＴ１時間カウントを行なった後、カウント動作を停止して出力信号ｂをハイレベルとする。マイクロプロセッサ１４は、このときのステータス信号ａのレベル状態を調べ、ロウレベル状態が続いていたなら、キャリッジ位置検出動作開始信号ｃをハイレベルとする。キャリッジモータ制御部１８は、マイクロプロセッサ１４の制御のもとでキャリッジ位置検出動作開始信号ｃがハイレベルとなったことにより、パルスモータ２０を駆動し、停止しているキャリッジをセンサ２１からの検知信号が出力されるまで戻す。すなわち、キャリッジを基準位置まで戻す。そして、マイクロプロセッサ１４は、前記キャリッジ位置記憶部１６に記憶されているキャリッジが停止されるまでに送られたパルス数と、上記基準位置に戻すまでに要したパルス数とを比較する。比較した結果、一致していた場合には、マイクロプロセッサ１４は正常と判断し、キャリッジを基準位置から再び上記停止していた位置まで戻し、キャリッジエラーチェック動作を終了する。また、一致していなかった場合には、マイクロプロセッサ１４は、キャリッジ部にエラーがあったと判断し、アラーム情報をホストコンピュータ１１に伝送する。」（第２頁左下欄第８行〜第３頁左上欄第１１行）
　ニ．「プリンタ装置側でキャリッジエラーを検出することができるので、ホストコンピュータ側ではデータ伝送休止中から再びデータ伝送する場合に、キャリッジを基準位置まで戻してから印字を行なうリストア動作を実行する必要がない。」（第３頁右上欄第６〜１１行）
　と記載されている。
　これらの記載を含む引用例には、     
 「キャリッジと、前記キャリッジに搭載された印字ヘッドと、これらを制御するマイクロプロセッサ１４等からなるシリアルプリンタであって、
　前記マイクロプロセッサ１４により制御されるキャリッジを基準位置から現在位置まで駆動するためにキャリッジモータ制御部１８に送ったパルス数を逐次記憶するキャリッジ位置記憶部１６と、
　前記キャリッジが基準位置にあることを検知するセンサ２１と、
　データの伝送が休止してキャリッジが駆動を停止しその状態が所定時間続いたなら、キャリッジを前記基準位置側に移動させ、前記基準位置側に移動した前記キャリッジが前記センサ２１により検出されたときに、前記キャリッジ位置記憶部１６に記憶されたキャリッジが基準位置から停止される位置までに送られたパルス数と停止位置から基準位置に戻すまでに要したパルス数を比較して、当該キャリッジ位置が正常か否かを判断するマイクロプロセッサ１４、を有するシリアルプリンタ。」
が記載されている。
３．対比・判断
　本願発明と引用例に記載された発明とを対比する。
　イ．引用例に記載された発明の「マイクロプロセッサ１４」は、キャリッジと印字ヘッド等を制御するとともにキャリッジ位置が正常か否かを判断するものであるから、本願発明の「印刷制御装置」と「キャリッジ位置判定手段」を兼ねたものといえる。
　ロ．引用例に記載された発明において、キャリッジは、マイクロプロセッサ１４によって、モータ制御部１８にパルスを送ることにより駆動制御されるものであるから、引用例に記載された発明もキャリッジを駆動（移動）させるための駆動信号を発生する発生手段を備えているといえる。
　ハ．引用例に記載された発明の「基準位置」と本願発明の「ホームポジション」は、いずれも、キャリッジの移動経路における特定位置である点で共通し、また、引用例に記載された発明の「センサ２１」と本願発明の「ホームポジション検出手段」は、いずれも、キャリッジが特定位置にあることを検出する検出手段である点で共通している。
　ニ．引用例に記載された発明の「キャリッジ位置記憶部１６」は、マイクロプロセッサ１４が、キャリッジを基準位置から現在位置まで駆動するためにキャリッジモータ制御部１８に送ったパルス数を逐次記憶するものであるから、マイクロプロセッサ１４から出力されるキャリッジの駆動信号により特定される前記キャリッジの位置を記憶するものといえる。
　ホ．引用例に記載された発明の「印字ヘッド」、及び「シリアルプリンタ」は、それぞれ、本願発明の「印刷ヘッド」及び「印刷装置」に相当する。
　以上のことから、両者は、
「キャリッジと、前記キャリッジに載置された印刷ヘッドと、これらを制御する印刷制御装置と、からなる印刷装置であって、
　前記印刷制御装置から出力される前記キャリッジの駆動信号により特定される前記キャリッジの位置を記憶するキャリッジ位置記憶手段と
　前記キャリッジが特定位置にあることを検出する特定位置検出手段と、
　前記キャリッジを特定位置側に移動させるための駆動信号を発生する発生手段と、
　前記発生手段により特定位置側に移動した前記キャリッジが前記特定位置検出手段により検出されたときに、当該キャリッジ位置が正しいか否かを判定するキャリッジ位置判定手段と、を有する印刷装置。」
である点で一致し、次の点で相違する。
〔相違点〕
　イ．本願発明の印刷装置がプラテンと該プラテンの軸方向に平行移動するキャリッジを構成要素とするとともに印刷制御装置がこれらも制御するようにしているのに対して、引用例では、それが定かでない点、
　ロ．特定位置を、本願発明ではホームポジションとしているのに対して、引用例に記載された発明では基準位置としている点、
　ハ．キャリッジの特定位置側へ移動させるための駆動信号を発生する時を、本願発明では、「印刷指令を受け付けると、当該印刷指令に基づいた印刷開始に先立って」としているのに対して、引用例に記載された発明では、データの伝送が休止してキャリッジが駆動を停止しその状態が所定時間続いたときである点、
　ニ．キャリッジ位置判定手段が行う比較の対象が、本願発明では、キャリッジ位置記憶手段に記憶されたキャリッジ位置とホームポジションの位置としているのに対して、引用例に記載された発明では、キャリッジ位置記憶手段に記憶されたキャリッジが基準位置から停止される位置までに送られたパルス数と停止位置から基準位置に戻すまでに要したパルス数である点。
〔相違点の検討〕
　相違点イについて、       
　印刷装置がプラテンと該プラテンの軸方向に平行移動するキャリッジを構成要素とするとともに印刷制御装置がこれらも制御するようにすることは、引用例を挙げるまでもなく当該技術分野において周知であるから、この点は、当業者が容易になす構成の変更と認められる。
　相違点ロについて、
　本願発明における「ホームポジション」とは、「一般に基準位置はホームポジション位置、すなわち、“φ”であるから、この場合は、基準位置レジスタ１５と減算部１６は省略することが可能である。」（段落【００２５】第３〜５行）という発明の詳細な説明の記載と図５の記載からみて、キャリッジの位置の基準となる位置であって、キャリッジ位置記憶手段においてキャリッジ位置のパルス数をφすなわち０とした位置と解される。
　してみると、引用例に記載された発明において、基準位置を、キャリッジ位置記憶手段におけるパルス数がφとなる位置すなわちホームポジションとすることは、一般に、部材等の位置を記憶する記憶手段において、基準位置をその記憶手段においてφとする、すなわち、ホームポジションとすることが普通のことであるので、相違点ロは、当業者が容易になす構成の変更と認められ、その作用効果も格別顕著なものが認められない。
　相違点ハについて、
　引用例に記載された発明は、キャリッジの特定位置側へ移動させるための駆動信号を発生させる時が、データの伝送が休止してキャリッジが駆動を停止しその状態が所定時間続いたとき、すなわち、所定量の伝送データの印刷が終了し、次の伝送データの印刷開始前であるが、一般に、印刷が無駄にならないように、印刷装置が適切に印刷を行えるか否かの判定を、印刷開始に先立って行うことは、従来周知のことであるから、上記引用例に記載された発明において、キャリッジの特定位置側へ移動させるための駆動信を発生させるときを、印刷指令を受け付けると、当該印刷指令に基づいた印刷開始に先立つときとするようになすことも当業者が容易にできる構成の変更と認められる。
　その作用効果も格別顕著なものが認められない。
　出願人は、この点に関して、引用例に記載された発明は、印刷中に生じたキャリッジ移動動作におけるメカニカルなトラブルやキャリッジ制御におけるトラブルを検出することを目的とするもので、不慣れなユーザがマージンセット時に誤って手でキャリッジ移動させてしまうなどの行為に起因する装置の誤作動や破壊を防止するという本願発明の目的と相違しているから、相違点ハは当業者が容易に想起できることでない旨の主張をしている。
　しかし、本願発明においては、不慣れなユーザがマージンセット時に誤って手でキャリッジ移動させてしまうなどの行為に起因する装置の誤作動や破壊を防止するという本願発明の目的を達成するに特有な構成が、エラー検出を印刷開始に先立って行うという構成以外に本願請求項１に規定されているわけでもないし、発明の詳細な説明にその具体的構成が開示されているわけでもない。また、印刷開始時におけるキャリッジの位置ズレは、マージンセット時に誤って手で移動させてしまうことによるものだけではない。
　引用例に記載された発明も、上記２．のロ、ニと記載されているように、停止中のキャリッジが何らかの原因で位置ズレが起こっていることを検出することを目的とする点で本願発明の目的と共通するもので、この検出を印刷休止中に行うのを印刷開始に先立って行うことに変更することに何ら阻害要件がないから、上記出願人の前記主張は採用できない。
　相違点ニについて、
　本願発明における「キャリッジ位置記憶手段に記憶されたキャリッジ位置とホームポジションの位置」という記載だけでは、比較の対象が何と何かは明りょうでないが、本願発明の詳細な説明における「印刷開始時、ｎパルス発生装置１７はキャリッジ３が基準位置認識手段１３（即ち、基準位置）に到達するまでパルスを発生し、キャリッジ３を基準位置認識手段１３の方向へ移動する。パルスカウンタ２０は、ｎパルス発生装置１７が発生したパルス数を計数する。すなわち、パルスカウンタ２０には、印刷開始直前の実キャリッジ位置が収納される。そして、比較器２１は、パルスカウンタ２０の値とキャリッジ位置記憶手段１２の値とを比較して、キャリッジ３が正常位置かどうかを判定し、印刷制御装置１１へ通知する」（段落【００２７】）という記載と図４、６の記載を参酌すると、本願発明の「キャリッジ位置記憶手段に記憶されたキャリッジ位置」とは、キャリッジをホームポジションに移動する直前の停止位置におけるキャリッジ位置記憶手段に記憶されたパルス数等で表されるキャリッジ位置であること、また、同じく、「ホームポジションの位置」とは、キャリッジを基準位置側に移動する直前の停止位置からホームポジションまで移動したときに、パルスカウンタにより計数されたパルス数等で表されたものであることが明らかである。
　してみると、キャリッジ位置判定手段が行う比較の対象が異なっているものでもないから、相違点ニにおいて、両者の間で格別の技術的差異が認められない。
４．むすび
　したがって、本願発明は、上記引用例に記載された発明と周知事項から当業者が容易に発明をすることができたものと認められるから、特許法第２９条第２項の規定により特許を受けることができない。
　よって、結論のとおり審決する。